(57)【要約】【課題】本紙を束ねた本紙束を表紙で包むくるみ製本において、本紙束を包みきれない製本不良を回避する。【解決手段】表紙Ｃの表紙編集領域ＣＡを設定するため、ユーザより本紙Ｈの短辺の長さＨＬ２、表紙Ｃの長辺の長さＣＬおよび表紙の背表紙の厚みＷに関する各情報の入力を受け付ける。受け付けた各情報に基づいて、表紙Ｃの長辺の長さＣＬが本紙Ｈの短辺の長さＨＬ２の２倍に背表紙の厚みＷを加算した値よりも小さいか否かを判別し、表紙Ｃの長辺の長さＣＬが加算した値よりも小さいときにユーザに各情報の少なくともいずれかに修正を促すための警告を行う。【選択図】図６
2013223976.tif 000002
【特許請求の範囲】
【請求項１】
画像データに基づいて本紙および表紙を印刷して前記本紙を前記表紙で包む製本処理を行うためのデータ編集装置において、
前記画像データの表わす前記表紙の編集領域を設定するため、ユーザより前記本紙の天または地側の辺の長さ、前記表紙の天または地側の辺の長さおよび前記表紙の背表紙の厚みに関する各情報の入力を受け付ける入力受付部と、
前記受け付けた各情報に基づいて、前記表紙の天または地側の辺の長さが前記本紙の天または地側の辺の長さの２倍に前記背表紙の厚みを加算した値よりも小さいか否かを判別し、前記表紙の天または地側の辺の長さが前記加算した値よりも小さいときに前記ユーザに前記各情報の少なくともいずれかに修正を促すための警告を行う警告部とを備えたことを特徴とするデータ編集装置。
【請求項２】
前記警告部が、前記表紙の天または地側の辺の長さから前記本紙の天または地側の辺の長さの２倍と前記背表紙の厚みとを差分した値が閾値以上であるときに、前記警告を行うものであることを特徴とする請求項１に記載のデータ編集装置。
【請求項３】
前記警告部が、前記表紙の天または地側の辺の長さが第２の閾値以上であるとき、前記ユーザに前記表紙の天または地側の辺の長さに関する情報の修正を促すための警告を行うものであることを特徴とする請求項１または２に記載のデータ編集装置。
【請求項４】
画像データに基づいて本紙および表紙を印刷して前記本紙を表紙で包む製本処理を行うための前記画像データを編集するためにコンピュータを、
前記画像データの前記表紙の編集領域を設定するために、ユーザより前記本紙の天または地側の辺の長さ、前記表紙の天または地側の辺の長さおよび前記表紙の背表紙の厚みに関する各情報の入力を受け付ける入力受付手段と、
前記受け付けた各情報に基づいて、前記表紙の天または地側の辺の長さが前記本紙の天または地側の辺の長さの２倍に前記背表紙の厚みを加算した値よりも小さいか否かを判別し、前記表紙の天または地側の辺の長さが前記加算した値よりも小さいとき、前記ユーザに前記各情報の少なくともいずれかに修正を促すための警告を行う警告手段として機能させるためのデータ編集プログラム。
【発明の詳細な説明】
【技術分野】
【０００１】
本発明はくるみ製本用のデータ編集装置およびプログラムに関する。より詳しくは、画像データに基づいて本紙および表紙を印刷して本紙を表紙で包む製本処理を行うためのデータ編集装置およびプログラムに関する。
【背景技術】
【０００２】
従来、本紙を束ねて表紙で包んで製本するくるみ製本が知られている。そして、表紙および本紙の画像データを編集するデータ編集装置およびプログラムも知られている。このくるみ製本においては、前述の通り、本紙束を表紙で包んで製本するため、表紙は本紙よりも大きいものとなる。したがって、画像データを編集する際にも、表紙の画像データの編集領域は、本紙の画像データの編集領域よりも大きくする必要がある。特許文献１には、本紙の印刷条件を設定する際に、本紙用紙よりも大きい表紙用紙を誤って選択しないようにする技術が提案されている。
【０００３】
しかしながら、表紙用紙が本紙用紙よりも大きい場合であっても、表紙が冊子を構成するのに適した大きさとは限らない。したがって、表紙の画像データを編集する際には、表紙の画像データを表わす編集領域の大きさをユーザが自ら設定する必要がある。
【先行技術文献】
【特許文献】
【０００４】
【特許文献１】特許第４６７７３４２号公報
【発明の概要】
【発明が解決しようとする課題】
【０００５】
しかしながら、ユーザが設定した表紙の画像データの編集領域が、必ずしも冊子を構成するのに適した大きさとも限らず、そのままの画像データに基づいて製本処理を行うと、表紙が本紙を束ねた本紙束を包みきれない等の表紙の大きさと本紙の大きさとが整合しないことによる製本不良が発生する虞がある。したがって、ユーザによる表紙の編集領域の大きさに関する入力情報が冊子を構成するのに適しているか否かを確認する必要がある。このユーザが設定した表紙の画像データが表わす編集領域の大きさを確認にすることついては、特許文献１は何も提案していない。
【０００６】
本発明の目的は、上記事情に鑑み、表紙が本紙を束ねた本紙束を包みきれない製本不良を回避できるデータ編集装置およびプログラムを提供することにある。
【課題を解決するための手段】
【０００７】
上記の課題を解決するために、本発明のデータ編集装置は、画像データに基づいて本紙および表紙を印刷して本紙を表紙で包む製本処理を行うためのデータ編集装置において、画像データの表わす表紙の編集領域を設定するため、ユーザより本紙の天または地側辺の長さ、表紙の天または地側の辺の長さおよび表紙の背表紙の厚みに関する各情報の入力を受け付ける入力受付部と、受け付けた各情報に基づいて、表紙の天または地側の辺の長さが本紙の天または地側の辺の長さの２倍に背表紙の厚みを加算した値よりも小さいか否かを判別し、表紙の天または地側の辺の長さが加算した値よりも小さいときにユーザに各情報の少なくともいずれかに修正を促すための警告を行う警告部とを備えたことを特徴とする。
【０００８】
本発明のデータ編集プログラムは、コンピュータを上記のデータ編集装置として機能させるために、上記入力受付部を入力受付手段、上記警告部を警告手段としてそれぞれ機能させるものである。
【０００９】
ここで、本発明のデータ編集装置およびプログラムにおける「画像データ」とは、表紙および表紙を表す画像のデータを意味する。上記「表紙の編集領域」とは、表紙を表す画像を編集するための領域を意味し、上記「表紙の編集領域を設定する」とは、「表紙の編集領域」の天または地側の辺および背または小口側の辺の各長さを設定することを意味する。また、上記「天または地側の辺」とは、画像データに基づいて製本処理を行うと、天または地の側となる辺を意味する。「本紙の天または地側辺の長さ、表紙の天または地側の辺の長さおよび表紙の背表紙の厚みに関する各情報」とは、本紙の天または地側の辺の長さ、表紙の天または地側の辺の長さおよび表紙の背表紙の厚みが把握できる情報を意味するものであり、本紙の天または地側の辺の長さ、表紙の天または地側の辺の長さおよび表紙の背表紙の厚みの各値そのものに限定されるものではない。
【００１０】
また、本発明のデータ編集装置において、警告部が、表紙の天または地側の辺の長さから本紙の天または地側の辺の長さの２倍と背表紙の厚みとを差分した値が閾値以上であるときにも、警告を行うものであってもよいし、表紙の天または地側の辺の長さが第２の閾値以上であるときにも、ユーザに表紙の天または地側の辺の長さに関する情報の修正を促すための警告を行うものであってもよい。
【発明の効果】
【００１１】
本発明のデータ編集装置およびプログラムによれば、画像データの表わす表紙の編集領域を設定するため、ユーザより本紙の天または地側の辺の長さ、表紙の天または地側の辺の長さおよび表紙の背表紙の厚みに関する各情報の入力を受け付けると、受け付けた各情報に基づいて、表紙の天または地側の辺の長さが本紙の天または地側の辺の長さの２倍に背表紙の厚みを加算した値よりも小さいか否かを判別し、表紙の天または地側の辺の長さが加算した値よりも小さいときにユーザに各情報の少なくともいずれかに修正を促すための警告を行うことにより、冊子を構成できる程度の長さ、すなわち表紙の天または地側の辺の長さが本紙の天または地側の辺の長さの２倍に背表紙の厚みを加算した長さを有する表紙の編集領域が確保されるため、本紙束を包みきれない製本不良を回避できる。
【００１２】
また、本発明のデータ編集装置によれば、表紙の天または地側の辺の長さから本紙の天または地側の辺の長さの２倍と背表紙の厚みとを差分した値が閾値以上であるときにも、警告を行うことにより、表紙を裁断して製本したとしても本紙束を包んだ表紙の一部が余って本紙束よりはみ出してしまう製本不良も回避できる。
【００１３】
また、本発明のデータ編集装置によれば、警告部が、表紙の天または地側の辺の長さが第２の閾値以上であるときにも、ユーザに表紙の天または地側の辺の長さに関する情報の修正を促すための警告を行うことにより、表紙自体が大きすぎるために製本装置受け取れないことによる製本不良も回避できる。
【図面の簡単な説明】
【００１４】
【図１】くるみ製本システムの概略構成図
【図２】データ編集部のブロック図
【図３Ａ】表紙印刷画像の編集画面を示す図（その１）
【図３Ｂ】表紙印刷画像の編集画面を示す図（その２）
【図４】本紙印刷画像の編集画面を示す図
【図５】表紙画像データの設定画面
【図６】表紙編集領域および本紙編集領域の模式図
【図７】警告画面を示す図
【図８】表紙画像データの設定処理を示すフローチャート
【発明を実施するための形態】
【００１５】
本発明の実施形態について図面を参照して説明する。図１は、本発明の実施形態であるデータ編集部４４を備えたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００１６】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて、表紙Ｃと複数枚の本紙Ｈとを印刷し、製本装置３において、複数枚の本紙Ｈを束ねて表紙Ｃで包むことにより、冊子に製本する。
【００１７】
原稿Ｄは、表紙Ｃからなる表紙原稿ＣＤおよび複数枚の本紙Ｈからなる本紙原稿ＨＤから構成される。そして、原稿Ｄは、複数枚の本紙Ｈを表紙Ｃで包んで製本することにより、冊子に製本される。原稿データＤＤは、表紙原稿ＣＤを表す表紙原稿データＣＤＤと本紙原稿ＨＤを表す本紙原稿データＨＤＤとから構成される。
【００１８】
画像データＧＤは、表紙Ｃの印刷画像（以下、表紙画像ＣＧという）を表す表紙画像データＣＧＤと複数の本紙Ｈの印刷画像（以下、本紙画像ＨＧという）を表す複数の本紙画像データＨＧＤとから構成される。印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００１９】
最初に印刷装置２について説明する。印刷装置２は、印刷データＰＤをコンピュータ４からネットワークを介して受け取り、表紙印刷データＣＰＤに基づいて表紙用紙に表紙Ｃと本紙印刷データＨＰＤに基づいて本紙用紙に複数枚の本紙Ｈとを印刷するものである。印刷装置２は、印刷制御部２１、画像データ記憶部２２、印刷給紙部２３および印刷部２４を備えている。
【００２０】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤに展開する。印刷制御部２１は、表紙印刷データＣＰＤに基づいて表紙画像データＣＧＤ、本紙印刷データＨＰＤに基づいて複数の本紙画像データＨＧＤにそれぞれ展開する。
【００２１】
画像データ記憶部２２は、表紙画像データＣＧＤおよび複数の本紙画像データＨＧＤを印刷が行われるまで記憶するものである。印刷給紙部２３は、印刷部２４に表紙用紙または本紙用紙を給紙するものである。印刷給紙部２３は、表紙用紙を給紙トレイ２３Ａ、本紙用紙を給紙トレイ２３Ｂにそれぞれ収納する。印刷給紙部２３は、収納されている表紙用紙および本紙用紙の大きさ、厚み、判型等の情報を記憶している。
【００２２】
印刷部２４は、画像データＧＤに基づいて、表紙Ｃおよび／または複数枚の本紙Ｈを印刷するものである。印刷部２４は、表紙画像データＣＧＤに基づいて、表紙用紙に表紙Ｃを印刷し、本紙画像データＨＧＤに基づいて、本紙用紙に複数枚の本紙Ｈを印刷する。印刷部２４には、孔版印刷プリンタやインクジェットプリンタやレーザープリンタ等を用いてもよい。本紙印刷データＨＰＤには、ページ数情報、片面印刷または両面印刷かの印刷条件情報も付加されており、印刷制御部２１は、これらの情報に基づいて、印刷部２４に表紙用紙に表紙を印刷させる。
【００２３】
次に製本装置３について説明する。製本装置３はくるみ製本装置である。製本装置３は、印刷装置２より表紙Ｃおよび複数枚の本紙Ｈを受け取る。本実施形態において、製本される本は、天または地側の寸法が背または小口側の辺よりも短く、見開き寸法が背または小口側の寸法よりも長いものする。このため、請求項の本紙の天または地側の辺は本紙の短辺、請求項の表紙の天または地側の辺は長辺としてそれぞれ説明する。したがって、製本された本の天または地側の寸法が背または小口側の辺よりも長いときは本紙の天または地側の辺を長辺となり、見開き寸法が背または小口側の寸法よりも短いときは短辺となる。
【００２４】
製本装置３は、表紙Ｃを、短辺の長さが本紙Ｈの長辺の長さと同じであり、長辺の長さが本紙Ｈの短辺の長さを２倍に本紙束の厚みを加算した値と同じ大きさに裁断する。したがって、表紙Ｃの長辺の長さが本紙Ｈの短辺の長さを２倍に本紙束の厚みを加算した値よりも小さいと、製本装置３は、表紙Ｃで冊子を構成するように本紙束を包むことができず、製本不良が発生する可能性がある。また、製本装置３は、本紙束の小口側、天側および地側の各側面から所定寸法だけ内側を裁断（以下、化粧裁ちと言う。）することもできる。そして、製本装置３は、複数枚の本紙Ｈを束ねて本紙束を生成し、本紙束の背側の側面に接着剤を塗布した後、本紙束を裁断した表紙Ｃで包んで製本する。
【００２５】
製本装置３は、印刷装置２より受け取り可能な表紙Ｃの大きさについての許容値を有している。具体的に、製本装置３は、表紙Ｃの長辺の長さが４６５ｍｍ以上になると、表紙Ｃを受け取ることができず、製本不良が発生する可能性がある。また、製本装置３が裁断を行える寸法は６０ｍｍ未満であり。したがって、表紙Ｃの長辺の長さから本紙Ｈの短辺の長さを２倍と本紙束の厚みとを差分した値が６０ｍｍ以上になると、表紙Ｃの一部が本紙束からはみ出してしまう製本不良が発生する可能性がある。
【００２６】
次にコンピュータ４について説明する。コンピュータ４は、表示部４Ａ、入力部４Ｂおよび本体４Ｃから構成されている。表示部４Ａは、液晶モニタ等の表示装置であり、原稿データ作成プログラム、プリンタドライバおよびデータ編集プログラムを表示する。入力部４Ｂは、キーボード、マウス、ポインティングデバイス等の入力装置であり、原稿データ作成プログラム、プリンタドライバおよびデータ編集プログラムの操作を受け付ける。
【００２７】
本体４Ｃは、中央処理装置（ＣＰＵ）および半導体メモリやハードディスク等から構成され、原稿データ作成プログラム、プリンタドライバおよびデータ編集プログラムをインストールすることにより、コンピュータ４を、原稿データ作成部４２、印刷出力部４３およびデータ編集部４４として機能させる。メモリ４１は、原稿データ作成プログラム、プリンタドライバ、データ編集プログラム、原稿データＤＤおよび画像データＧＤを記憶するものである。なお、原稿データＤＤおよび画像データＧＤは他のコンピュータで作成されたものであってもよい。
【００２８】
原稿データ作成部４２は、原稿データＤＤを生成するものである。原稿データ作成プログラムには、原稿作成用としてMicrosoft社のWord、Excel（登録商標）、PowerPoint（登録商標）、原稿データＤＤへの変換用としてPDF（登録商標）ドライバ等のプログラムを用いてもよい。
【００２９】
原稿データ作成部４２は、表紙原稿ＣＤの画像（以下、表紙原稿画像ＣＤＧという。）および本紙原稿ＨＤの画像（以下、本紙原稿画像ＨＤＧという。）を表示部４Ａに表示しながら、入力部４Ｂからのユーザ操作に基づいて形成し、PDF（Portable Document Format）形式の原稿データＤＤを生成する。原稿データ作成部４２は、本紙原稿ＨＤのページ情報およびインデックス情報を本紙原稿データＨＤＤに付加する。印刷出力部４３は、データ編集部４４から画像データＧＤを受け取り、印刷データＰＤを生成して印刷装置２に出力するものである。コンピュータ４は、データ編集部４４が印刷処理を行い、プリンタドライバが起動させると、印刷出力部４３として機能する。
【００３０】
データ編集部４４は、原稿データＤＤに基づいて、各冊子の画像データＧＤを生成するものであり、表紙原稿データＣＤＤに基づいて表紙画像データＣＧＤ、本紙原稿データＨＤＤに基づいて複数の本紙画像データＨＧＤを生成する。図２はデータ編集部４４のブロック図を示す。データ編集部４４は、図２に示す通り、制御部４４１、表紙画像データ編集部４４２および本紙画像データ編集部４４３およびから構成されている。
【００３１】
制御部４４１は、上記の各部、表示部４Ａおよび入力部４Ｂを制御することにより、データ編集部４４としてコンピュータ４の全体を制御するものである。また、制御部４４１は、入力部４Ｂが受け付けたユーザ指定の原稿データＤＤをメモリ４１から読み出すものである。
【００３２】
表紙画像データ編集部４４２は、表紙原稿データＣＤＤに基づいて、各冊子の表紙画像データＣＧＤを編集するものである。図３Ａおよび図３Ｂは表紙画像ＣＧの編集画面を示す。表紙画像データ編集部４４２は、表紙編集領域ＣＡの大きさを設定した後、図３Ａおよび図３Ｂに示すように、表紙編集領域ＣＡ上に表紙原稿画像ＣＤＧを配置して表紙画像ＣＧを表示するとともに、表紙画像ＣＧのサムネイル画像も表示する。そして、ユーザは表紙画像ＣＧを参照しながら、表紙編集領域ＣＡ上の表紙原稿画像ＣＤＧが所望の位置、方向および大きさとなるように入力部４Ｂを操作する。本紙画像データ編集部４４３は、入力部４Ｂが受け付けた操作情報に基づいて、表紙画像データＣＧＤを編集する。なお、表紙編集領域ＣＡの設定については後述する。
【００３３】
表紙画像ＣＧは、図３Ａおよび図３Ｂに示す通り、表表紙画像、背表紙画像、裏表紙画像、表表紙の裏面画像、背表紙の裏面画像および裏表紙の裏面画像から構成される。図３Ａおよび図３Ｂは、左綴じ用の表紙Ｃの表紙画像ＣＧを示している。なお、データ編集部４４は、左綴じ用の表紙画像データＣＧＤの編集に限定されるものではなく、右綴じ用または上綴じ用に用いることも可能である。
【００３４】
表紙画像データ編集部４４２は、入力部４Ｂが受け付けた製本の綴じ位置情報、すなわち表紙Ｃが左綴じ、右綴じまたは上綴じであるかに応じて、表表紙画像、背表紙画像、裏表紙画像、表表紙の裏面画像、背表紙の裏面画像および裏表紙の裏面画像の表紙編集領域上の配置順を変更できる。
【００３５】
本紙画像データ編集部４４３は、本紙原稿データＨＤＤに基づいて、各冊子の本紙画像データＨＧＤを編集するものである。図４は本紙画像ＨＧの編集画面を示す。本紙画像データ編集部４４３は、本紙編集領域ＨＡの大きさを設定した後、図４に示すように、本紙原稿データＨＤＤに基づいて、本紙編集領域ＨＡ上に本紙原稿画像ＨＤＧを配置して各本紙画像ＨＧをページ順に表示するとともに、各本紙画像ＨＧのサムネイル画像も表示する。ユーザは本紙画像ＨＧを参照しながら、本紙編集領域ＨＡ上の本紙原稿画像ＨＤＧが所望の位置、方向および大きさとなるように入力部４Ｂを操作する。本紙画像データ編集部４４３は、入力部４Ｂからの操作情報に基づいて、本紙画像データＨＧＤを編集する。
【００３６】
また、本紙画像データ編集部４４３は、入力部４Ｂが受け付けた面付け情報に基づいて、本紙白紙画像上に面数分の本紙原稿画像ＨＤＧを配置する。また、本紙画像データ編集部４４３は、入力部４Ｂが受け付けた片面印刷または両面印刷であるかを示す印刷条件情報に基づいて、各本紙画像ＨＧが本紙Ｈの表面または裏面のいずれに属するかの識別を表示する。
【００３７】
次に本紙編集領域ＨＡおよび表紙編集領域ＣＡの設定について説明する。制御部４４１は、表示部４Ａに図５のような設定画面を表示させ、入力部４Ｂに綴じ位置、両面設定の要否、本紙Ｈの用紙サイズ、本紙用紙のトレイの選択、背表紙の厚みＷ、表紙の長辺の長さＣＬおよび表紙用紙のトレイの選択の各情報について、ユーザからの入力を受け付けさせる。
【００３８】
図５においては、本紙Ｈのサイズには判型を入力させることで受け付けているが、本紙Ｈの長辺の長さＨＬ１および短辺の長さＨＬ２の値が把握できるものであれば、特に限定されるものではなく、勿論、長辺の長さＨＬ１および短辺の長さＨＬ２を直接入力してもよい。同様に、背表紙の厚みおよび表紙の長辺の長さＣＬについても、直接入力に限定されるものではなく、背表紙の厚みとして本紙Ｈの枚数と本紙１枚当たりの厚みを入力してもよいし、表紙Ｃの長さＣＬとして表紙Ｃの判型を入力してもよい。
【００３９】
図６は本紙編集領域ＨＡおよび表紙編集領域ＣＡの設定を模式的に示す図である。本紙画像データ編集部４４３は、図６に示す通り、本紙Ｈのサイズに基づいて、本紙編集領域ＨＡを設定する。本紙編集領域ＨＡの長辺の長さＨＡＬ１および短辺の長さＨＡＬ２は入力された本紙Ｈのサイズにおける長辺の長さＨＬ１および短辺の長さＨＬ２と同じになる。なお、前述の化粧裁ちを行う場合は、長辺の長さＨＬ１および短辺の長さＨＬ２よりも化粧裁ち寸法分だけ大きくしてもよい。本紙画像データ編集部４４３は、本紙Ｈのサイズおよび表紙Ｃの長辺の長さＣＬに基づいて、表紙編集領域ＣＡを設定する。表紙編集領域ＣＡの長辺の長さＣＡＬ１は、入力された表紙Ｃの長辺の長さＣＬと同じになり、表紙編集領域ＣＡの短辺の長さＣＡＬ２は、本紙編集領域ＨＡの短辺の長さと同様に、入力された本紙Ｈのサイズにおける短辺の長さＨＬ２となる。
【００４０】
図６からも明らかなように、表紙Ｃの長辺の長さＣＬが、本紙Ｈの短辺の長さＨＬ２の２倍に背表紙の厚みＷを加算した値よりも小さいとき、本紙編集領域ＨＡは、冊子を構成できる程度に本紙束を包める領域を有しているとは言えない。したがって、制御部４４１は、図５の設定画面において、ユーザからの入力に基づいて、入力された情報が以下の式を満たすか否かを判別する。
本紙Ｈの短辺の長さＨＬ２×２＋背表紙の厚めＷ＞表紙Ｃの長辺の長さＣＬ
そして、上記式を満たす場合には図７に示すような警告画面を表示してユーザに警告を行い、本紙のサイズ、背表紙の厚みＷおよび表紙Ｃの長辺の長さＣＬの少なくともいずれかの修正を促す。これにより、表紙編集領域ＣＡは冊子を構成できる程度に本紙束を包める領域を有し得る。
【００４１】
また、前述の通り、表紙Ｃの長辺の長さＣＬから本紙Ｈの短辺の長さＨＬ２の２倍と本紙束の厚みＷと差分した値が６０ｍｍ以上になると、製本装置３が裁断可能な寸法を超えてしまうため、制御部４４１は、図５の設定画面において、ユーザからの入力に基づいて、入力された情報が以下の式を満たすか否かを判別する。
表紙Ｃの長辺の長さＣＬ−本紙Ｈの短辺の長さＨＬ２×２＋背表紙の厚めＷ≧６０ｍｍ
そして、上記式を満たす場合にも図７に示すような警告画面を表示してユーザに、本紙のサイズ、背表紙の厚みＷおよび表紙Ｃの長辺の長さＣＬの少なくともいずれかの修正を促す。これにより、表紙Ｃの一部が本紙束からはみ出してしまう製本不良を回避できる。なお、製本装置３が裁断可能な寸法は、装置自体の仕様により決定されるものであり、６０ｍｍに限定されるものではない。
【００４２】
また、前述の通り、表紙Ｃの長辺の長さＣＬが４６５ｍｍ以上になると製本装置３が表紙Ｃを受け取ることができず、製本不良が発生する可能性がある。したがって、制御部４４１は、図５の設定画面において、ユーザからの入力に基づいて、入力された情報が以下の式を満たすか否かを判別する。
表紙Ｃの長辺の長さＣＬ≧４６５ｍｍ
そして、上記式を満たす場合にも図７に示すような警告画面を表示してユーザに、表紙Ｃの長辺の長さＣＬの修正を促す。これにより、製本装置３が表紙Ｃを受け取ることができない製本不良を回避できる。なお、製本装置３が受け取り可能な寸法は、装置自体の仕様により決定されるものであり、４６５ｍｍに限定されるものではない。
【００４３】
そして、制御部４４１は、受け付けた入力が上記３つの式のいずれをも満たさなくなるまで本紙編集領域ＨＡおよび表紙編集領域ＣＡの設定の受け付けを続行し、上記３つの式のいずれをも満たさなくなると受け付けを終了させる。また、図５の設定画面では、本紙用紙のトレイおよび表紙用紙のトレイの選択も受け付けている。したがって、制御部４４１は、印刷実行処理を行う際に、印刷装置２と通信することにより、給紙トレイ２３Ａに収納されている表紙用紙が表紙編集領域ＣＡよりも大きいものであり、且つ給紙トレイ２３Ｂに収納されている本紙用紙が本紙編集領域ＨＡよりも大きいものであるかを判別し、これらの条件を満たさない場合は警告画面を表示する。
【００４４】
次にデータ編集部４４の作用を説明する。図８はデータ編集部４４の一連の処理を示すフローチャートである。制御部４４１がユーザ指定の原稿データＤＤを読み出す（ＳＴ１）。制御部４４１は、設定画面を表示し、入力部４Ｂに本紙編集領域ＨＡおよび表紙編集領域ＣＡの設定を受け付させる（ＳＴ２）。制御部４４１は、受け付けた各情報に基づいて、表紙Ｃの長辺の長さＣＬが本紙Ｈの短辺の長さＨＬ２の２倍に背表紙の厚みＷを加算した値より小さいかを判別し（ＳＴ３）、表紙Ｃの長辺の長さＣＬが加算した値よりも小さいときは修正を促す警告画面を表示する（ＳＴ４）。
【００４５】
表紙Ｃの長辺の長さＣＬが加算した値以上のとき、制御部４４１は、表紙Ｃの長辺の長さＣＬから本紙Ｈの短辺の長さＨＬ２の２倍と背表紙の厚みＷとを差分した値が６０ｍｍ以上であるかを判別し（ＳＴ５）、差分した値が６０ｍｍ以上のとき、修正を促す警告画面を表示する（ＳＴ４）。差分した値が６０ｍｍ未満のとき、制御部４４１は、表紙Ｃの長辺の長さＣＬが４６５ｍｍ以上であるか判別し（ＳＴ６）、表紙Ｃの長辺の長さＣＬが４６５ｍｍ以上のとき、修正を促す警告画面を表示する（ＳＴ４）。表紙Ｃの長辺の長さＣＬが４６５ｍｍ未満のとき、制御部４４１は、本紙編集領域ＨＡおよび表紙編集領域ＣＡを設定する（ＳＴ７）。
【００４６】
表紙画像データ編集部４４２が表紙画像データＣＧＤを編集し（ＳＴ８）、本紙画像データ編集部４４３が本紙画像データＨＧＤを編集する（ＳＴ９）。そして、印刷処理を実行すると、制御部４４１は、印刷装置２と通信することにより、給紙トレイ２３Ａ，２３Ｂに収納された表紙用紙および本紙用紙の大きさが、表紙編集領域ＣＡおよび本紙編集領域ＨＡより小さいかを判別し（ＳＴ１０）、表紙用紙および本紙用紙が、表紙編集領域ＣＡおよび本紙編集領域ＨＡよりも小さいとき、警告画面を表示する（ＳＴ１１）。表紙編集領域ＣＡおよび本紙編集領域ＨＡの大きさ以上のとき、本紙Ｈおよび表紙Ｃの印刷処理を実行し（ＳＴ１２）、処理を終了する。なお、（ＳＴ３）、（ＳＴ５）および（ＳＴ６）における判別の順序は特に限定されるものではない。
【００４７】
以上に述べた通り、上記の実施形態によれば、制御部４４１が、本紙編集領域ＨＡおよび表紙編集領域ＣＡの設定を受け付ける際、表紙Ｃの長辺の長さＣＬが本紙Ｈの短辺の長さの２倍に背表紙の厚みＷを加算した値より小さいと、修正を促す警告を行うため、表紙編集領域ＣＡには冊子を構成できる程度に本紙束を包める大きさの領域が確保されることになり、本紙束の包みきれない製本不良を回避できる。
【００４８】
また、上記の実施形態によれば、制御部４４１が、本紙編集領域ＨＡおよび表紙編集領域ＣＡの設定を受け付ける際、表紙編集領域ＣＡの長辺の長さＣＬから本紙編集領域ＨＡの短辺の長さの２倍と背表紙の厚みＷとを差分した値が製本装置３での裁断可能寸法以上であると修正を施す警告を行うため、表紙Ｃの一部が本紙束からはみ出てします製本不良を回避できる。
【００４９】
また、上記の実施形態によれば、制御部４４１が、表紙編集領域ＣＡの長辺の長さＣＬが、製本装置３が受け取り可能な寸法以上であると修正を促す警告を行うため、表紙Ｃを受け取れないことによる製本不良を回避できる。
【符号の説明】
【００５０】
Ｃ  表紙
Ｈ  本紙
ＣＡ    表紙編集領域
ＣＬ  表紙領域の長辺の長さ
ＨＡ  本紙編集領域
ＨＬ１  本紙編集領域の長辺の長さ
ＨＬ２  本紙編集領域の短辺の長さ
Ｗ    背表紙の厚み
４  コンピュータ
４Ｂ  入力部
４Ｃ  本体
４４  データ編集部
４４１  制御部
【図１】
2013223976.tif 000003
【図２】
2013223976.tif 000004
【図３Ａ】
2013223976.tif 000005
【図３Ｂ】
2013223976.tif 000006
【図４】
2013223976.tif 000007
【図５】
2013223976.tif 000008
【図６】
2013223976.tif 000009
【図７】
2013223976.tif 000010
【図８】
2013223976.tif 000011